(57)【特許請求の範囲】
【請求項１】
住居における少なくとも第１室および第２室にそれぞれ設置される第１コール釦および第２コール釦と、コール報知装置とを備え、このコール報知装置は、音声および表示の少なくとも一方で報知を行う報知手段と、前記第１室と前記第１コール釦との対応関係および前記第２室と前記第２コール釦との対応関係を記憶する記憶手段と、前記第１コール釦および第２コール釦の押下を、これらに個別に接続された信号線を介して検出する検出手段と、前記検出手段で前記第１コール釦の押下が検出されると、前記記憶手段に記憶の前記第１室と前記第１コール釦との対応関係を参照して、前記第１室からのコールを前記報知手段経由で報知する制御を行うとともに、前記検出手段で前記第２コール釦の押下が検出されると、前記記憶手段に記憶の前記第２室と前記第２コール釦との対応関係を参照して、前記第２室からのコールを前記報知手段経由で報知する制御を行う制御手段とにより構成されるサービスシステムであって、
前記第１室と前記第１コール釦との対応関係および前記第２室と前記第２コール釦との対応関係を、前記コール報知装置に前記信号線が接続された後で前記記憶手段に登録するための登録手段を備え、
前記登録手段は、電圧レベルで区分されるアドレスを前記各コール釦に設定するアドレス設定手段と、前記各コール釦からの電圧レベルをデジタル値に変換するＡ／Ｄ変換手段とを有し、
前記電圧レベルは、抵抗とスイッチの直列回路を複数並列に接続して前記第１コール釦と前記コール報知装置との間および前記第２コール釦と前記コール報知装置との間に設けられた回路における当該各スイッチのオン／オフ状態の組み合わせによって設定される
ことを特徴とするコールシステム。
【請求項２】
前記第１室および第２室は、それぞれ浴室および化粧室の一方および他方であることを特徴とする請求項１記載のコールシステム。
【請求項３】
前記報知手段は、少なくとも前記第１室からのコールおよび前記第２室からのコール用の音声を合成する音声合成手段と、この音声合成手段で合成された音声を出力する音声出力手段とにより構成されることを特徴とする請求項１または２記載のコールシステム。
【請求項４】
前記コール報知装置は、表示画面を有する表示手段と、この表示手段の表示画面に文字情報を表示するオンスクリーンディスプレイ手段とを備えることを特徴とする請求項１または２記載のコールシステム。
【請求項５】
住居における少なくとも第３室および第４室にそれぞれ設置される第３コール釦および第４コール釦と、増設用コール報知装置とを備え、この増設用コール報知装置は、音声および表示の少なくとも一方で報知を行う報知手段と、前記第３室と前記第３コール釦との対応関係および前記第４室と前記第４コール釦との対応関係を記憶する記憶手段と、前記第３コール釦および第４コール釦の押下を、これらに個別に接続された信号線を介して検出する検出手段と、前記検出手段で前記第３コール釦の押下が検出されると、前記記憶手段に記憶の前記第３室と前記第３コール釦との対応関係を参照して、前記第３室からのコールを前記報知手段経由で報知する制御を行うとともに、前記検出手段で前記第４コール釦の押下が検出されると、前記記憶手段に記憶の前記第４室と前記第４コール釦との対応関係を参照して、前記第４室からのコールを前記報知手段経由で報知する制御を行う制御手段とにより構成され、
前記コール報知装置および増設用コール報知装置はそれぞれ互いに通信可能な送受信手段を有し、
前記登録手段は、前記送受信手段を介して、前記第３室と前記第３コール釦との対応関係および前記第４室と前記第４コール釦との対応関係を、前記増設用コール報知装置に前記信号線が接続された後でその増設用コール報知装置の記憶手段に登録する
ことを特徴とする請求項１または２記載のコールシステム。
【発明の詳細な説明】
【０００１】
【発明の属する技術分野】
本発明は、コール（押）釦とその連絡を受けて例えば音と表示で報知するコール報知装置とにより構成されるコールシステムに関するものである。
【０００２】
【従来の技術】
従来のコールシステムの構成例を図９に示す。図９において、コールシステムは、コール釦Ｂ１，Ｂ２と、これらが信号線Ｌ１，Ｌ２を介してそれぞれ端子Ｔ１，Ｔ２に接続されるコール報知装置１PAとを備えている。
【０００３】
コール報知装置１PAは、報知を音声および光の表示で通知する報知音出力装置１１および表示装置１２と、コール釦Ｂ１，Ｂ２の押下に応じて報知音出力装置１１および表示装置１２を駆動するマイコン１０PAとにより構成されている。
【０００４】
なお、特開平７−９５３０２号公報には、マンション等の集合住宅の各住戸内に設置して使用するのに好適な住宅情報盤が記載されている。
【０００５】
【発明が解決しようとする課題】
ここで、図９のコールシステムでは、指定された場所に設置されたコール釦をコール報知装置１PAの端子Ｔ１，Ｔ２に接続しなければならない。例えば、端子Ｔ１は化粧室コール専用、端子Ｔ２は浴室コール専用であり、他の室に設置されたコール釦を接続することができない。このため、工事の際、予めどの配線がどこに設置されたコール釦かを知っておく必要があるとともに、その設置場所に対応してコール報知装置の指定の端子に対応する信号線を接続する必要がある。
【０００６】
本発明は、上記事情に鑑みてなされたものであり、コール報知装置と各コール釦との配線接続工事において、どの配線がどのコール釦に接続されているのかを気にすることなく、各コール釦をコール報知装置に任意に接続することができるコールシステムを提供することを目的とする。
【０００７】
【課題を解決するための手段】
上記課題を解決するために請求項１記載の発明は、住居における少なくとも第１室および第２室にそれぞれ設置される第１コール釦および第２コール釦と、コール報知装置とを備え、このコール報知装置は、音声および表示の少なくとも一方で報知を行う報知手段と、前記第１室と前記第１コール釦との対応関係および前記第２室と前記第２コール釦との対応関係を記憶する記憶手段と、前記第１コール釦および第２コール釦の押下を、これらに個別に接続された信号線を介して検出する検出手段と、前記検出手段で前記第１コール釦の押下が検出されると、前記記憶手段に記憶の前記第１室と前記第１コール釦との対応関係を参照して、前記第１室からのコールを前記報知手段経由で報知する制御を行うとともに、前記検出手段で前記第２コール釦の押下が検出されると、前記記憶手段に記憶の前記第２室と前記第２コール釦との対応関係を参照して、前記第２室からのコールを前記報知手段経由で報知する制御を行う制御手段とにより構成されるサービスシステムであって、前記第１室と前記第１コール釦との対応関係および前記第２室と前記第２コール釦との対応関係を、前記コール報知装置に前記信号線が接続された後で前記記憶手段に登録するための登録手段を備え、前記登録手段は、電圧レベルで区分されるアドレスを前記各コール釦に設定するアドレス設定手段と、前記各コール釦からの電圧レベルをデジタル値に変換するＡ／Ｄ変換手段とを有し、前記電圧レベルは、抵抗とスイッチの直列回路を複数並列に接続して前記第１コール釦と前記コール報知装置との間および前記第２コール釦と前記コール報知装置との間に設けられた回路における当該各スイッチのオン／オフ状態の組み合わせによって設定されることを特徴とする。
【０００８】
請求項２記載の発明は、請求項１記載のコールシステムにおいて、前記第１室および第２室は、それぞれ浴室および化粧室の一方および他方であることを特徴とする。
【０００９】
請求項３記載の発明は、請求項１または２記載のコールシステムにおいて、前記報知手段は、少なくとも前記第１室からのコールおよび前記第２室からのコール用の音声を合成する音声合成手段と、この音声合成手段で合成された音声を出力する音声出力手段とにより構成されることを特徴とする。
【００１０】
請求項４記載の発明は、請求項１または２記載のコールシステムにおいて、前記コール報知装置は、表示画面を有する表示手段と、この表示手段の表示画面に文字情報を表示するオンスクリーンディスプレイ手段とを備えることを特徴とする。
【００１１】
請求項５記載の発明は、請求項１または２記載のコールシステムにおいて、住居における少なくとも第３室および第４室にそれぞれ設置される第３コール釦および第４コール釦と、増設用コール報知装置とを備え、この増設用コール報知装置は、音声および表示の少なくとも一方で報知を行う報知手段と、前記第３室と前記第３コール釦との対応関係および前記第４室と前記第４コール釦との対応関係を記憶する記憶手段と、前記第３コール釦および第４コール釦の押下を、これらに個別に接続された信号線を介して検出する検出手段と、前記検出手段で前記第３コール釦の押下が検出されると、前記記憶手段に記憶の前記第３室と前記第３コール釦との対応関係を参照して、前記第３室からのコールを前記報知手段経由で報知する制御を行うとともに、前記検出手段で前記第４コール釦の押下が検出されると、前記記憶手段に記憶の前記第４室と前記第４コール釦との対応関係を参照して、前記第４室からのコールを前記報知手段経由で報知する制御を行う制御手段とにより構成され、前記コール報知装置および増設用コール報知装置はそれぞれ互いに通信可能な送受信手段を有し、前記登録手段は、前記送受信手段を介して、前記第３室と前記第３コール釦との対応関係および前記第４室と前記第４コール釦との対応関係を、前記増設用コール報知装置に前記信号線が接続された後でその増設用コール報知装置の記憶手段に登録することを特徴とする。
【００１２】
【発明の実施の形態】
図１は本発明に係る第１基本形態のコールシステムの構成図で、この図を用いて以下に第１基本形態の説明を行う。
【００１３】
図１に示すコールシステムは、住居における化粧室（以下、第１トイレという）および浴室にそれぞれ設置されるコール釦Ｂ１およびコール釦Ｂ２と、コール釦Ｂ１が２線の信号線Ｌ１を介して端子Ｔ１に接続されるとともにコール釦Ｂ２が２線の信号線Ｌ２を介して端子Ｔ２に接続されるコール報知装置１とを備えている。なお、端子Ｔ１，Ｔ２の各一方は接地されている。
【００１４】
コール報知装置１は、アンプおよびスピーカなどにより成り音声で報知を行う報知音出力装置１１と、図略の表示ランプ（またはＬＥＤ）などにより成り光の表示（発光）で報知を行うとともに登録のための表示を行う表示装置１２と、第１トイレとコール釦Ｂ１との対応関係および浴室とコール釦Ｂ２との対応関係を記憶するとともに後述のマイコン１０の処理に必要な各種データを記憶するメモリ１３と、登録釦１４と、マイコン１０とにより構成されている。
【００１５】
このマイコン１０は、本コールシステム全般の制御などの処理を行うもので、コール釦Ｂ１およびコール釦Ｂ２の押下を、これらに個別に接続された信号線Ｌ１，Ｌ２を介して検出する検出機能を備え、例えば、検出機能でコール釦Ｂ１の押下が検出されると、メモリ１３に記憶の第１トイレとコール釦Ｂ１との対応関係を参照して、第１トイレからのコールを報知音出力装置１１および表示装置１２経由で報知する制御を行うとともに、検出機能でコール釦Ｂ２の押下が検出されると、メモリ１３に記憶の浴室とコール釦Ｂ２との対応関係を参照して、浴室からのコールを報知音出力装置１１および表示装置１２経由で報知する制御を行う。ところで、図１の例では、端子Ｔ１，Ｔ２の各他方の電位がアース電位になれば各コール釦の押下が検出される構成になっている。
【００１６】
また、マイコン１０は、第１基本形態の特徴として、登録釦１４の押下に応じて、第１トイレとコール釦Ｂ１との対応関係および浴室とコール釦Ｂ２との対応関係を、コール報知装置１に信号線Ｌ１，Ｌ２が接続された後でメモリ１３に登録するための登録機能を有している。
【００１７】
次に、第１基本形態の特徴となるマイコン１０の登録機能による登録手順の一例を説明する。まず、コール報知装置１の端子Ｔ１，Ｔ２に信号線Ｌ１，Ｌ２を介してコール釦Ｂ１，Ｂ２を接続する。このとき、各コール釦と各端子との接続関係を気にすることなく、任意に接続を行う。ただし、この説明では、図１の例に示すように接続されたものとする。
【００１８】
この後、コール報知装置１の登録釦１４を押下して、「第１トイレ」の登録モードを選択すると、マイコン１０の制御によって、表示装置１２における「第１トイレ登録」の図略の表示ランプが点滅する。これに応じて、第１トイレに設置された方のコール釦、図１の例ではコール釦Ｂ１を押下すると、第１トイレに設置されたコール釦Ｂ１が端子Ｔ１に接続されているという対応関係が得られるので、マイコン１０の制御によって、その対応関係がメモリ１３に記憶されるとともに、表示装置１２における「第１トイレ登録」の表示ランプが点灯する。
【００１９】
続いて、コール報知装置１の登録釦１４を押下して、「浴室」の登録モードを選択すると、マイコン１０の制御によって、表示装置１２における「浴室登録」の図略の表示ランプが点滅する。これに応じて、浴室に設置された方のコール釦Ｂ２を押下すると、浴室に設置されたコール釦Ｂ２が端子Ｔ２に接続されているという対応関係が得られるので、マイコン１０の制御によって、その対応関係がメモリ１３に記憶されるとともに、表示装置１２における「浴室登録」の表示ランプが点灯する。
【００２０】
以上、コール報知装置と各コール釦との配線接続工事において、どの配線がどのコール釦に接続されているのかを気にすることなく、各コール釦をコール報知装置に任意に接続することができる。
【００２１】
図２は本発明に係る第２基本形態のコールシステムの構成図で、この図を用いて以下に第２基本形態の説明を行う。
【００２２】
図２に示すコールシステムは、コール釦Ｂ１，Ｂ２を第１基本形態と同様に備えているほか、第１基本形態との相違点としてコール報知装置２を備えている。
【００２３】
このコール報知装置２は、登録釦１４を第１基本形態のコール報知装置１と同様に備えているほか、そのコール報知装置１との相違点として、アンプおよびスピーカなどにより成る報知音出力装置２１ａと、第１トイレからのコールおよび浴室からのコール用の音声（どのコール釦から呼出があったかを通知する音声）を合成するとともに各コール釦の登録手順ガイダンス用の音声を合成して、報知音出力装置２１ａに出力する音声合成部２１ｂと、光の表示で報知を行う表示装置２２と、第１トイレとコール釦Ｂ１との対応関係および浴室とコール釦Ｂ２との対応関係を記憶するとともに後述のマイコン２０の処理に必要な各種データを記憶するメモリ２３と、マイコン２０とにより構成されている。
【００２４】
このマイコン２０は、上記各対応関係の登録手順ガイダンスを、表示ランプの発光を利用して行うのではなく、音声を利用して行う以外は第１基本形態のマイコン１０とほぼ同様の処理を行う。
【００２５】
以上の構成でも、コール報知装置と各コール釦との配線接続工事において、どの配線がどのコール釦に接続されているのかを気にすることなく、各コール釦をコール報知装置に任意に接続することができる。また、登録手順が音声でガイドされるので、取扱説明書を見なくても簡単に登録をすることができる。
【００２６】
図３は本発明に係る第３基本形態のコールシステムの構成図で、この図を用いて以下に第３基本形態の説明を行う。
【００２７】
図３に示すコールシステムは、コール釦Ｂ１，Ｂ２を第１基本形態と同様に備えているほか、第１基本形態との相違点としてコール報知装置３を備えている。
【００２８】
このコール報知装置２は、報知音出力装置１１および登録釦１４を第１基本形態のコール報知装置１と同様に備えているほか、コール報知装置１との相違点として、モニタテレビ３２ａと、このモニタテレビ３２ａの表示画面に絵や文字情報を表示するオンスクリーンディスプレイ部３２ｂと、第１トイレとコール釦Ｂ１との対応関係および浴室とコール釦Ｂ２との対応関係を記憶するとともに後述のマイコン３０の処理に必要な各種データを記憶するメモリ３３と、マイコン３０とにより構成されている。
【００２９】
このマイコン３０は、メモリ３３の登録内容を、オンスクリーンディスプレイ部３２ｂを通じてモニタテレビ３２ａの表示画面にキャラクタで表示する制御を行う以外は第１基本形態のマイコン１０とほぼ同様の処理を行う。例えば、登録釦１４の押下に応じて、図４に示すような登録内容を表示する処理が行われる。ただし、図４の例に示すように、「第１トイレ」および「ヨクシツ」のほかに、「第２トイレ」および「シンシツ」の登録も可能になっており、図４では、第１および第２トイレが登録状態になっている。
【００３０】
以上の構成でも、コール報知装置と各コール釦との配線接続工事において、どの配線がどのコール釦に接続されているのかを気にすることなく、各コール釦をコール報知装置に任意に接続することができる。また、各コール釦の登録内容を一目で確認することができる。さらに、コール釦の名称を新たに登録することができ、事前に想定されるコール釦の設置場所を全て用意しておかなくても済む。
【００３１】
図５は本発明に係る第４基本形態のコールシステムの構成図で、この図を用いて以下に第４基本形態の説明を行う。
【００３２】
図５に示すコールシステムは、コール釦Ｂ１，Ｂ２を第１基本形態と同様に備えるほかにコール報知装置４を備える親システムＡと、子システムＢとにより構成されている。
【００３３】
子システムＢは、住居における別の第２トイレおよび寝室にそれぞれ設置されるコール釦Ｂ３およびコール釦Ｂ４と、コール釦Ｂ３が２線の信号線Ｌ３を介して端子Ｔ３に接続されるとともにコール釦Ｂ４が２線の信号線Ｌ４を介して端子Ｔ４に接続される増設用のコール報知装置Ｃ１とを備えている。なお、端子Ｔ３，Ｔ４の各一方は接地されている。
【００３４】
コール報知装置Ｃ１は、アンプおよびスピーカなどにより成り音声で報知を行う報知音出力装置Ｃ１１と、光の表示（発光）で報知を行う表示装置Ｃ１２と、第２トイレとコール釦Ｂ３との対応関係および寝室とコール釦Ｂ４との対応関係を記憶するとともに後述のマイコンＣ１０の処理に必要な各種データを記憶するメモリＣ１３と、データ送受信装置Ｃ４５と、マイコンＣ１０とにより構成されている。
【００３５】
このマイコンＣ１０は、子システムＢ全般の制御などの処理を行うもので、コール釦Ｂ３およびコール釦Ｂ４の押下を、これらに個別に接続された信号線Ｌ３，Ｌ４を介して検出する検出機能を備え、例えば、検出機能でコール釦Ｂ３の押下が検出されると、メモリＣ１３に記憶の第２トイレとコール釦Ｂ３との対応関係を参照して、第２トイレからのコールを報知音出力装置Ｃ１１および表示装置Ｃ１２経由で報知する制御を行うとともに、検出機能でコール釦Ｂ４の押下が検出されると、メモリＣ１３に記憶の寝室とコール釦Ｂ４との対応関係を参照して、寝室からのコールを報知音出力装置１１および表示装置１２経由で報知する制御を行う。ところで、図５の例では、端子Ｔ３，Ｔ４の各他方の電位がアース電位になれば各コール釦の押下が検出される構成になっている。
【００３６】
親システムＡのコール報知装置４は、報知音出力装置１１および登録釦１４を第１基本形態のコール報知装置１と同様に備えているほか、コール報知装置１との相違点として、図略の表示ランプなどにより成り光の表示（発光）で報知を行うとともに登録のための表示を行う表示装置４２と、第１トイレとコール釦Ｂ１との対応関係および浴室とコール釦Ｂ２との対応関係を記憶するとともに後述のマイコン４０の処理に必要な各種データを記憶するメモリ４３と、子システムＢのデータ送受信装置Ｃ４５とで互いに双方向の通信を行うデータ送受信装置４５と、マイコン４０とにより構成されている。ただし、データ送受信装置４５，Ｃ４５は、それぞれコール報知装置４，Ｃ１の端子Ｔ５１，Ｔ５２に接続され、これらの端子Ｔ５１，Ｔ５２は２線の信号線Ｌ５で互いに接続されている。
【００３７】
マイコン４０は、マイコンＣ１０と協調して、データ送受信装置４５，Ｃ４５および信号線Ｌ５を介して、第２トイレおよび寝室の各々とコール釦Ｂ３，Ｂ４の各々との対応関係を、コール報知装置Ｃ１に信号線Ｌ３，Ｌ４が接続された後でコール報知装置Ｃ１のメモリＣ１３に登録する制御を行う以外は第１基本形態のマイコン１０とほぼ同様の処理を行う。
【００３８】
次に、第１基本形態と相違するマイコン４０の登録機能による登録手順の一例を説明する。ただし、コール報知装置Ｃ１の増設配線工事が完了して、コール報知装置Ｃ１の端子Ｔ３，Ｔ４に信号線Ｌ３，Ｌ４を介してコール釦Ｂ３，Ｂ４が接続され、端子Ｔ５１，Ｔ５２が信号線Ｌ５で互いに接続されているとする。
【００３９】
まず、コール報知装置１の登録釦１４を押下して、「第２トイレ」の登録モードを選択すると、マイコン４０の制御によって、表示装置４２における「第２トイレ登録」の図略の表示ランプが点滅するとともに、第２トイレ登録開始の信号がデータ送受信装置４５，Ｃ４５などを経由してマイコンＣ１０に伝達される。これに応じて、第２トイレに設置された方のコール釦、図５の例ではコール釦Ｂ３を押下すると、第２トイレに設置されたコール釦Ｂ３が端子Ｔ３に接続されているという対応関係が得られるので、マイコンＣ１０の制御によって、その対応関係がメモリＣ１３に記憶されるとともに、第２トイレ登録完了の信号がデータ送受信装置Ｃ４５，４５などを経由してマイコン４０に伝達される。そして、第２トイレ登録完了の信号に応じたマイコン４０の制御によって、表示装置４２における「第２トイレ登録」の表示ランプが点灯する。
【００４０】
続いて、コール報知装置１の登録釦１４を押下して、「寝室登録」の登録モードを選択すると、マイコン４０の制御によって、表示装置４２における「寝室登録」の図略の表示ランプが点滅するとともに、寝室登録開始の信号がデータ送受信装置４５，Ｃ４５などを経由してマイコンＣ１０に伝達される。これに応じて、寝室に設置された方のコール釦、図５の例ではコール釦Ｂ４を押下すると、寝室に設置されたコール釦Ｂ４が端子Ｔ４に接続されているという対応関係が得られるので、マイコンＣ１０の制御によって、その対応関係がメモリＣ１３に記憶されるとともに、寝室登録完了の信号がデータ送受信装置Ｃ４５，４５などを経由してマイコン４０に伝達される。そして、寝室登録完了の信号に応じたマイコン４０の制御によって、表示装置４２における「寝室登録」の表示ランプが点灯する。
【００４１】
以上、両コール報知装置と各コール釦との配線接続工事において、どの配線がどのコール釦に接続されているのかを気にすることなく、各コール釦を各コール報知装置に任意に接続することができる。つまり、増設用のコール報知装置に接続されるコール釦もコールシステムとして一括登録できる。また、コール釦の増設が容易となる。
【００４２】
図６は本発明に係る実施形態のコールシステムの構成図で、この図を用いて以下に実施形態の説明を行う。
【００４３】
図６に示すコールシステムは、コール釦Ｂ１，Ｂ２を第１基本形態と同様に備えているほか、第１基本形態との相違点として、コール釦Ｂ１側に設けられ、そのコール釦Ｂ１の設置場所に応じた信号出力用の抵抗Ｒｂ１１〜Ｒｂ１４およびスイッチＳｂ１１〜Ｓｂ１４と、コール釦Ｂ２側に設けられ、そのコール釦Ｂ２の設置場所に応じた信号出力用の抵抗Ｒｂ２１〜Ｒｂ２４およびスイッチＳｂ２１〜Ｓｂ２４と、コール報知装置５とを備えている。
【００４４】
このコール報知装置５は、報知音出力装置１１、表示装置１２および登録釦１４を第１基本形態のコール報知装置１と同様に備えているほか、コール報知装置１との相違点として、第１室とコール釦Ｂ１との対応関係および第２室とコール釦Ｂ２との対応関係を記憶するとともに後述のマイコン５０の処理に必要な各種データを記憶するメモリ５３と、端子Ｔ１，Ｔ２の各電圧をデジタル値に変換するＡ／Ｄコンバータ５６と、マイコン５０とにより構成されている。
【００４５】
このマイコン５０は、Ａ／Ｄコンバータ５６のデジタル値に応じて、メモリ５３に記憶の対応関係を参照し、コール釦が押下された室からのコールを報知音出力装置１１および表示装置１２経由で報知する制御を行う以外は、第１基本形態のマイコン１０とほぼ同様の処理を行う。
【００４６】
ここで、図６の例では、端子Ｔ１，Ｔ２の各他方には抵抗を介して所定の電圧が印加されているので、スイッチＳｂ１１〜Ｓｂ１４のオン／オフ状態で決まる直流電圧がＡ／Ｄコンバータ５６に印加するとともに、スイッチＳｂ２１〜Ｓｂ２４のオン／オフ状態で決まる直流電圧がＡ／Ｄコンバータ５６に印加する。また、各スイッチが１ビット〜４ビットに対応するように設定されているので、合計１６種類の互いに異なる直流電圧がコール釦Ｂ１，Ｂ２側から個別にＡ／Ｄコンバータ５６に印加する。
【００４７】
そして、図７の例に示すように、各電圧を各室に対応させるとともに、各電圧のデジタル値と各室との対応関係をメモリ５３に記憶させれば、コール釦Ｂ１，Ｂ２が設置される室に応じてスイッチＳｂ１１〜Ｓｂ１４およびスイッチＳｂ２１〜Ｓｂ２４のオン／オフ状態を設定すれば、コール報知装置と各コール釦との配線接続工事において、どの配線がどのコール釦に接続されているのかを気にすることなく、各コール釦をコール報知装置に任意に接続することができる。
【００４８】
すなわち、５．０Ｖ、４．５Ｖ、４．０Ｖ、３．５Ｖ、…をそれぞれ第１トイレ、第２トイレ、浴室、寝室、…に対応させ、５．０Ｖ、４．５Ｖ、４．０Ｖ、３．５Ｖ、…の各デジタル値と第１トイレ、第２トイレ、浴室、寝室、…の各室との対応関係をメモリ５３に記憶させる。このとき、図６の例では、登録釦１４の押下で順次対応関係が登録される構成になっているが、各デジタル値と各室との対応関係は予め決められてメモリ５３に記憶されている構成でもよい。
【００４９】
以上、コール報知装置と各コール釦との配線接続工事において、どの配線がどのコール釦に接続されているのかを気にすることなく、各コール釦をコール報知装置に任意に接続することができる。また、コール釦の電圧値（アドレス設定値）に対応した設置場所をコール報知装置が認識するため、施工性の良いコールシステムを提供することができる。
【００５０】
なお、上記第１〜第４基本形態および実施形態では、コールシステム自体独立したシステム構成になっているが、種々のシステムと融合したシステム構成でもよい。このシステム構成例を図８に示す。図８において、コールシステムは、第４基本形態のコールシステムとほぼ同様であって、カメラユニットＤ１ａ、映像送信Ｄ１ｂ、マイクＤ１ｃ、スピーカＤ１ｄ、音声入出力Ｄ１ｅ、音声処理Ｄ１ｆ、子機受電Ｄ１ｇ、押釦Ｄ１ｈおよび多重分離Ｄ１ｉにより成るカメラ付きドアホン子機Ｄ１と、多重分離Ｄ２ａ、子機給電Ｄ２ｂ、音声処理Ｄ２ｃ、音声合成Ｄ２ｄ、映像受信Ｄ２ｅ、オンスクリーンＤ２ｆ、スイッチＤ２ｇ、音声入出力Ｄ２ｈ、マイクＤ２ｉ、スピーカＤ２ｊ、スイッチＤ２ｋ、モニタテレビＤ２ｌ、音声処理Ｄ２ｍ、映像送信Ｄ２ｎ、多重分離Ｄ２ｏ、コール釦Ｂ１，Ｂ２、登録釦１４、メモリ４３およびマイコン４０などにより成るコール報知機能付きテレビ付きドアホン親機Ｄ２と、多重分離Ｄ３ａ、音声処理Ｄ３ｂ、音声入出力Ｄ３ｃ、マイクＤ３ｄ、スピーカＤ３ｅ、映像受信Ｄ３ｆ、モニタテレビＤ３ｇ、コール釦Ｂ３，Ｂ４、メモリＣ１３およびマイコンＣ１０などにより成るコール報知機能付きテレビ付きドアホン副親機Ｄ３とにより構成されるドアホンシステムにおけるコール報知機能付きテレビ付きドアホン親機Ｄ２およびコール報知機能付きテレビ付きドアホン副親機Ｄ３と融合している。ここで、ドアホンシステムと融合したコールシステムは、音声出力および表示などの各機能を双方で共用する構成になっている。このような構成でも、各コール釦の配線接続工事において、どの配線がどのコール釦に接続されているのかを気にすることなく、各コール釦を各機器に任意に接続することができる。また、通話のみのドアホンシステムにも同様に内蔵することができる。
【００５１】
【発明の効果】
以上のことから明らかなように、請求項１記載の発明によれば、住居における少なくとも第１室および第２室にそれぞれ設置される第１コール釦および第２コール釦と、コール報知装置とを備え、このコール報知装置は、音声および表示の少なくとも一方で報知を行う報知手段と、前記第１室と前記第１コール釦との対応関係および前記第２室と前記第２コール釦との対応関係を記憶する記憶手段と、前記第１コール釦および第２コール釦の押下を、これらに個別に接続された信号線を介して検出する検出手段と、前記検出手段で前記第１コール釦の押下が検出されると、前記記憶手段に記憶の前記第１室と前記第１コール釦との対応関係を参照して、前記第１室からのコールを前記報知手段経由で報知する制御を行うとともに、前記検出手段で前記第２コール釦の押下が検出されると、前記記憶手段に記憶の前記第２室と前記第２コール釦との対応関係を参照して、前記第２室からのコールを前記報知手段経由で報知する制御を行う制御手段とにより構成されるサービスシステムであって、前記第１室と前記第１コール釦との対応関係および前記第２室と前記第２コール釦との対応関係を、前記コール報知装置に前記信号線が接続された後で前記記憶手段に登録するための登録手段を備え、前記登録手段は、電圧レベルで区分されるアドレスを前記各コール釦に設定するアドレス設定手段と、前記各コール釦からの電圧レベルをデジタル値に変換するＡ／Ｄ変換手段とを有し、前記電圧レベルは、抵抗とスイッチの直列回路を複数並列に接続して前記第１コール釦と前記コール報知装置との間および前記第２コール釦と前記コール報知装置との間に設けられた回路における当該各スイッチのオン／オフ状態の組み合わせによって設定されるので、コール報知装置と各コール釦との配線接続工事において、どの配線がどのコール釦に接続されているのかを気にすることなく、各コール釦をコール報知装置に任意に接続することができる。これにより、施工性の良いコールシステムを提供することができる。
【００５２】
請求項２記載の発明によれば、請求項１記載のコールシステムにおいて、前記第１室および第２室は、それぞれ浴室および化粧室の一方および他方であり、この場合も、コール報知装置と各コール釦との配線接続工事において、どの配線がどのコール釦に接続されているのかを気にすることなく、各コール釦をコール報知装置に任意に接続することができる。
【００５３】
請求項３記載の発明によれば、請求項１または２記載のコールシステムにおいて、前記報知手段は、少なくとも前記第１室からのコールおよび前記第２室からのコール用の音声を合成する音声合成手段と、この音声合成手段で合成された音声を出力する音声出力手段とにより構成されるので、どの室からのコールであるかを音声で知ることができる。
【００５４】
請求項４記載の発明によれば、請求項１または２記載のコールシステムにおいて、前記コール報知装置は、表示画面を有する表示手段と、この表示手段の表示画面に文字情報を表示するオンスクリーンディスプレイ手段とを備えるので、表示手段の表示画面を通じて各種情報を知ることができる。
【００５５】
請求項５記載の発明によれば、請求項１または２記載のコールシステムにおいて、住居における少なくとも第３室および第４室にそれぞれ設置される第３コール釦および第４コール釦と、増設用コール報知装置とを備え、この増設用コール報知装置は、音声および表示の少なくとも一方で報知を行う報知手段と、前記第３室と前記第３コール釦との対応関係および前記第４室と前記第４コール釦との対応関係を記憶する記憶手段と、前記第３コール釦および第４コール釦の押下を、これらに個別に接続された信号線を介して検出する検出手段と、前記検出手段で前記第３コール釦の押下が検出されると、前記記憶手段に記憶の前記第３室と前記第３コール釦との対応関係を参照して、前記第３室からのコールを前記報知手段経由で報知する制御を行うとともに、前記検出手段で前記第４コール釦の押下が検出されると、前記記憶手段に記憶の前記第４室と前記第４コール釦との対応関係を参照して、前記第４室からのコールを前記報知手段経由で報知する制御を行う制御手段とにより構成され、前記コール報知装置および増設用コール報知装置はそれぞれ互いに通信可能な送受信手段を有し、前記登録手段は、前記送受信手段を介して、前記第３室と前記第３コール釦との対応関係および前記第４室と前記第４コール釦との対応関係を、前記増設用コール報知装置に前記信号線が接続された後でその増設用コール報知装置の記憶手段に登録するので、コール報知装置および増設用コール報知装置の各々と各コール釦との配線接続工事において、どの配線がどのコール釦に接続されているのかを気にすることなく、各コール釦をコール報知装置および増設用コール報知装置の各々に任意に接続することができる。
【図面の簡単な説明】
【図１】  本発明に係る第１基本形態のコールシステムの構成図である。
【図２】  本発明に係る第２基本形態のコールシステムの構成図である。
【図３】  本発明に係る第３基本形態のコールシステムの構成図である。
【図４】  登録内容の表示例を示す図である。
【図５】  本発明に係る第４基本形態のコールシステムの構成図である。
【図６】  本発明に係る実施形態のコールシステムの構成である。
【図７】  電圧値と設置場所との対応関係を示す図である。
【図８】  ドアホンシステムとコールシステムとが融合したシステム構成例を示す図である。
【図９】  従来のコールシステムの構成例を示す図である。
【符号の説明】
Ｂ１，Ｂ２ コール釦
１，２，３，４，５ コール報知装置
１０，２０，３０，４０，５０ マイコン
１１ 報知音出力装置
２１ａ 音声出力装置
２１ｂ 音声合成部
１２，２２，４２ 表示装置
３２ａ モニタテレビ
３２ｂ オンスクリーンディスプレイ部
１３，２３，３３，４３，５３ メモリ
１４ 登録釦
４５ データ送受信装置
５６ Ａ／Ｄコンバータ
Ｃ１ コール報知装置
Ｃ１０ マイコン
Ｃ１１ 報知音出力装置
Ｃ１２ 表示装置
Ｃ１３ メモリ
Ｃ４５ データ送受信装置
【図１】
0003959933.tif 000002
【図２】
0003959933.tif 000003
【図３】
0003959933.tif 000004
【図４】
0003959933.tif 000005
【図５】
0003959933.tif 000006
【図６】
0003959933.tif 000007
【図７】
0003959933.tif 000008
【図８】
0003959933.tif 000009
【図９】
0003959933.tif 000010